(57)【要約】      （修正有）【課題】野外で薪等を使用して風呂を沸かすのに適した風呂釜を提供する。【解決手段】浴槽の底面上に配置されたときに底面との間に断熱層を形成する断熱材２２を有したベース部２とを備える。さらに、ベース部２に立設され、下壁部がベース部２により形成されて、固体燃料を投入可能な燃料投入口３２が上端部に形成された有底筒状の金属製の燃料燃焼部３と、下部が燃料燃焼部３の下部と連通され、上部が筒状をなして軸方向を上下方向に略沿わせて延設されて、煙突５が連結される開口部４２３が上端に形成された金属製の煙道部４とを備える。また、燃料燃焼部３及び煙道部４は、煙道部４の下部と燃料燃焼部３の下部とを含む所定高さ以下の部分が、側方及び下方から水が浸入しない構造とされている風呂釜１。【選択図】図１
0003180469.tif 000002
【実用新案登録請求の範囲】
【請求項１】
浴槽の底面上に配置されたときに前記底面との間に断熱層を形成する断熱材を有したベース部と、
前記ベース部に立設され、下壁部が前記ベース部により形成されるか又は前記ベース部とは別体で設けられて、固体燃料を投入可能な燃料投入口が上端部に形成された有底筒状の金属製の燃料燃焼部と、
下部が前記燃料燃焼部の下部と連通され、上部が筒状をなして軸方向を上下方向に略沿わせて延設されて、煙突が連結される開口部が上端に形成されるか又は予め煙突が上方に延設された金属製の煙道部と、
を備え、前記燃料燃焼部及び前記煙道部は、前記煙道部の下部と前記燃料燃焼部の下部とを含む所定高さ以下の部分が、側方及び下方から水が浸入しない構造とされていることを特徴とする風呂釜。
【請求項２】
上下方向における略中間位置又はそれより下方であって、前記燃料燃焼部の外方でありかつ前記煙道部の外方となる位置に、重りを取り付けるための重り取付部が設けられていることを特徴とする請求項１記載の風呂釜。
【請求項３】
前記燃料燃焼部と前記煙道部の上部とを囲繞する重り取付ベース部を備え、
前記燃料燃焼部の横断面が略点対称な形状をなし、
前記煙道部の上部の横断面が略点対称な形状をなし、
前記重り取付ベース部は、外周形状が、平面視において、前記燃料燃焼部の横断面における対称の中心と前記煙道部の上部の横断面における対称の中心との中間近傍にある所定の点を、対称の中心とする略点対称な形状をなし、
前記重り取付部は、前記重り取付ベース部に偶数個設けられて、２個設けられている場合には当該２個が、４個以上設けられている場合には２個ずつが、平面視において、前記所定の点を対称の中心として略点対称となる位置に設けられていることを特徴とする請求項２記載の風呂釜。
【請求項４】
前記所定高さが、約４０ｃｍ以上であることを特徴とする請求項１、２又３記載の風呂釜。
【請求項５】
前記煙道部の内部を通る管を備え、
前記管は、両端部が、前記煙道部の前記浴槽内に面する壁部の前記所定高さ以下の部分に、開口していることを特徴とする請求項１、２、３又は４記載の風呂釜。
【考案の詳細な説明】
【技術分野】
【０００１】
本考案は、持ち運び可能であって、野外で薪等を使用して風呂を沸かすのに適した風呂釜に関する。
【背景技術】
【０００２】
従来から、薪を用いて風呂を沸かす風呂釜として、下記非特許文献１記載の風呂釜があった。
【先行技術文献】
【非特許文献】
【０００３】
【非特許文献１】“不二風呂釜”、［online］、不二産業株式会社、［平成２４年１月７日検索］、インターネット〈ＵＲＬ：http://homepage2.nifty.com/fuji-sangyo/index.html〉
【考案の概要】
【考案が解決しようとする課題】
【０００４】
しかし、上記従来の風呂釜は、連結管により浴槽と連結して、浴槽内の水を釜内に引込んで熱し、浴槽内に戻すものであり、例えばキャンプ時や災害時などに、野外で風呂を沸かすためのものではなかった。このため、野外で薪等を使用して風呂を沸かすのに適した風呂釜が求められていた。
【０００５】
この考案は、上述した問題を解決するものであり、野外で薪等を使用して風呂を沸かすのに適した風呂釜を提供することを目的とする。
【課題を解決するための手段】
【０００６】
本考案の風呂釜は、浴槽の底面上に配置されたときに前記底面との間に断熱層を形成する断熱材を有したベース部と、前記ベース部に立設され、下壁部が前記ベース部により形成されるか又は前記ベース部とは別体で設けられて、固体燃料を投入可能な燃料投入口が上端部に形成された有底筒状の金属製の燃料燃焼部と、下部が前記燃料燃焼部の下部と連通され、上部が筒状をなして軸方向を上下方向に略沿わせて延設されて、煙突が連結される開口部が上端に形成されるか又は予め煙突が上方に延設された金属製の煙道部と、を備え、前記燃料燃焼部及び前記煙道部は、前記煙道部の下部と前記燃料燃焼部の下部とを含む所定高さ以下の部分が、側方及び下方から水が浸入しない構造とされていることを特徴とする。
【０００７】
これによれば、浴槽の側壁に触れないように風呂釜を浴槽内に配置し、水位が燃料燃焼部及び煙道部の所定高さ以下となるように、浴槽内に水を張り、燃料燃焼部に燃料投入口から燃料を投入して着火し燃焼させることにより、燃料燃焼部及び煙道部で熱が発生し、この熱により、浴槽内の水が温められる。すなわち、本考案の風呂釜は、浴槽との連結が不要であるため、野外で薪等を使用して風呂を沸かすのに適している。また、浴槽内の水位を燃料燃焼部及び煙道部の所定高さ以下とすれば、浴槽内の水が風呂釜内に浸入して燃焼を妨げることはない。さらに、本考案の風呂釜は、浴槽の底面上に直接置いても、ベース部の断熱材により、浴槽の底面の温度上昇が抑制されるので、高温に弱い素材で形成された浴槽にも直接置いて使用できる。
【０００８】
ここで、上下方向における略中間位置又はそれより下方であって、前記燃料燃焼部の外方でありかつ前記煙道部の外方となる位置に、重りを取り付けるための重り取付部が設けられていることが好ましい。
【０００９】
これによれば、重り取付部に重りを吊り下げたり、重り取付部に取り付けた重りを浴槽の底面に置いたりすることにより、風呂釜の重量が増加するとともに風呂釜の重心が下方に移動するため、風呂釜が浴槽内で浮いてしまう虞や風呂釜が転倒する虞を低減できる。
【００１０】
そして、前記燃料燃焼部と前記煙道部の上部とを囲繞する重り取付ベース部を備え、前記燃料燃焼部の横断面が略点対称な形状をなし、前記煙道部の上部の横断面が略点対称な形状をなし、前記重り取付ベース部は、外周形状が、平面視において、前記燃料燃焼部の横断面における対称の中心と前記煙道部の上部の横断面における対称の中心との中間近傍にある所定の点を、対称の中心とする略点対称な形状をなし、前記重り取付部は、前記重り取付ベース部に偶数個設けられて、２個設けられている場合には当該２個が、４個以上設けられている場合には２個ずつが、平面視において、前記所定の点を対称の中心として略点対称となる位置に設けられていることとしてもよい。
【００１１】
これによれば、各重り取付部を利用して重りを取り付けることにより、風呂釜の重量をバランスよく増加させることができるため、風呂釜が転倒する虞をさらに低減できる。
【００１２】
また、前記所定高さが、約４０ｃｍ以上であることが好ましい。風呂に適した水位を確保できるからである。
【００１３】
さらに、前記煙道部の内部を通る管を備え、前記管は、両端部が、前記煙道部の前記浴槽内に面する壁部の前記所定高さ以下の部分に、開口していることとしてもよい。
【００１４】
これによれば、浴槽内の水位を管の両端部の開口の下縁より上とすることにより、管内を浴槽内の水が流通して、煙道部における浴槽内の水との接触面積が増大するため、熱交換の効率を向上可能である。
【考案の効果】
【００１５】
本考案の風呂釜によれば、野外で薪等を使用して風呂を沸かすのに適している。
【図面の簡単な説明】
【００１６】
【図１】本考案の一実施形態に係る風呂釜の斜視図である。
【図２】同風呂釜のII-II断面図である。
【図３】同風呂釜の縦断面図である。
【図４】同風呂釜に重りを取り付けた状態の斜視図である。
【図５】同風呂釜に他の重りを取り付けた状態の斜視図である。
【図６】同風呂釜の使用状態を示す図である。
【図７】同風呂釜で行った実験の結果を示すグラフである。
【図８】同風呂釜の変形例の斜視図である。
【図９】本考案の他の実施形態に係る風呂釜の斜視図である。
【図１０】図９に示す風呂釜の縦断面図である。
【考案を実施するための形態】
【００１７】
本考案の一実施形態に係る風呂釜１は、図１〜３に示すように、ベース部２と燃料燃焼部３と煙道部４と重り取付ベース部６と連結板部７とから構成されている。
【００１８】
ベース部２は、鉄製の薄板により形成した板部２１と、板部２１の下面全面に張り付けられた断熱材２２とから構成されて、前後方向の幅が約２００ｍｍ、左右方向の幅が約３１０ｍｍ、厚さ約２０ｍｍの略矩形板状に形成されている。なお、風呂釜１における前後・左右は、図１、２に示すように、煙道部４が配置されている側を左、燃料燃焼部３が配置されている側を右とし、向かって左に煙道部４を配置したときの手前を前方、その反対側を後方とする。断熱材２２は、木材、ゴム等で形成され、浴槽Ｂ（図６参照）の底面上に配置されたときに浴槽Ｂの底面との間に断熱層を形成する。
【００１９】
燃料燃焼部３は、高さ約５９０ｍｍ、直径（外径）約１５３ｍｍの有底円筒状をなし、ベース部２に立設されている。燃料燃焼部３の下壁部３１は、ベース部２の板部２１により形成され、周壁部３３は、鉄製の薄板で両端が開口した円筒状に形成されて、ベース部２に接合されている。燃料燃焼部３は、上端（周壁部３３の上端に相当。）が円形状に開口されて、この開口部が、薪、古紙、木質ペレット、落ち葉、枯草等の固体燃料を投入可能な燃料投入口３２とされている。周壁部３３の左側下部には、周壁部３３の下端縁から連続して切り欠いたようにして、開口部３５が形成されている。
【００２０】
煙道部４は、燃料燃焼部３の下部（以下、「燃料燃焼部下部」という。）３４に連結された略矩形箱状の下部（以下、「煙道部下部」という。）４１と、下部４１から上方に延設された円筒状の上部（以下、「煙道部上部」という。）４２とから構成され、全体として筒状とされている。煙道部４の高さは（上下方向の長さ）は約６１０ｍｍであり、燃料燃焼部３の高さと略同じとされている。
【００２１】
煙道部下部４１は、下壁部４１１がベース部２の板部２１により形成され、下壁部４１１の上面（すなわち、板部２１の上面）に、鉄製の薄板を横断面がコ字形状をなすように曲折することにより形成された高さ約２６０ｍｍの側壁部４１２が、そのコ字形状の開放部分を右方に向けて接合されて、側壁部４１２は、煙道部下部４１の左側壁部、前壁部、及び、後壁部を構成している。また、側壁部４１２の上端縁に、後述する重り取付ベース部６が接合されて、重り取付ベース部６により上壁部４１３が形成されている。そして、側壁部４１２の前後の右端部４１２ａ、４１２ｂが、燃料燃焼部３の周壁部３３の前端部と後端部に接合されて、燃料燃焼部下部３４と煙道部下部４１とが連結され、周壁部３３が煙道部下部４１の右側壁部を構成することとなって、開口部３５が煙道部下部４１内に向けて開口し、開口部３５を介して燃料燃焼部下部３４と煙道部下部４１とが連通されている。
【００２２】
煙道部上部４２は、鉄製の薄板で両端が開口した直径（外径）約１０２ｍｍの円筒状に形成されて、後述する重り取付ベース部６の煙道部挿通孔６１に下端部４２１が挿通されることにより、煙道部下部４１から上方に、軸方向を上下方向（ベース部２の上面に垂直な方向）に沿わせて延設されている。なお、煙道部上部４２内の温度が低下し過ぎると、煙道部４側への燃焼ガスの吸引力が不足する虞があるため、煙道部上部４２の直径を、燃料燃焼部３の直径の約半分から略同等までの範囲として（燃料燃焼部３の直径を約１５ｃｍとすると、約７ｃｍ〜約１５ｃｍの範囲として）、煙道部上部４２の中心部分の温度の低下を防止することが望ましい。また、重り取付ベース部６から煙道部上部４２の上端までの高さは、約３５０ｍｍである。煙道部上部４２の上端部４２２は、後述する連結板部７の煙道部配置孔７１に挿通され、煙道部上部４２の上端の開口部４２３には、煙突５が連結される。
【００２３】
また、図２に示すように、平面視において、煙道部下部４１の側壁部４１２は、煙道部上部４２よりも外側に、煙道部上部４２を取り囲むように配置されており、煙道部下部４１は、煙道部上部４２よりも横断面積が大きくなるように形成されている。
【００２４】
煙突５は、市販のものであり、金属製で両端が開口した円筒状をなし、高さは約６０ｃｍであり、下端部５１の直径（外径）は煙道部上部４２の内径と略同じとされて、下端部５１が開口部４２３に嵌合されることにより、煙道部上部４２に連結される。
【００２５】
風呂釜１には、上下方向における略中間位置より下方であって、燃料燃焼部３の外方でありかつ煙道部４の外方となる位置に、重りを取り付けるための小孔状の重り取付部６４が、偶数個（本実施形態では、４個）設けられている。
【００２６】
詳しくは、各重り取付部６４は重り取付ベース部６に形成され、重り取付ベース部６は、鉄製の薄板で、外周形状がベース部２の板部２２と同形の略矩形状の板状をなし、左側部に直径約１０２ｍｍの円形状の煙道部挿通孔６１が形成され、右側部に直径約１５３ｍｍの円形状の燃料燃焼部挿通孔６２が形成され、煙道部挿通孔６１の中心Ｐと燃料燃焼部挿通孔６２の中心Ｑは、左右方向に並んでいる（図２参照）。
【００２７】
そして、重り取付ベース部６は、ベース部２と平行にかつ平面視において重なるように配置されるとともに、ベース部２から約２６０ｍｍの高さに配置されており、風呂釜１のベース部２より上の部分の高さ（煙突５を除く高さであり、煙道部上部４２の上端までの高さとなる。）は約６１０ｃｍであるので、風呂釜１の上下方向における略中間位置より下方に配置されていることとなる。
【００２８】
また、煙道部挿通孔６１には上述したように煙道部上部４２が挿通され、燃料燃焼部挿通孔６２には燃料燃焼部３が挿通されて、重り取付ベース部６は、燃料燃焼部３と煙道部上部４２とを囲繞している。煙道部上部４２及び燃料燃焼部３は、いずれも横断面が円形状で点対称な形状となっており、図２に示すように、平面視において、煙道部上部４２の対称の中心は点Ｐ、燃料燃焼部３の対称の中心は点Ｑと重なり、重り取付ベース部６の外周形状は、点Ｐと点Ｑとの中間近傍（より具体的には、点Ｐと点Ｑを結ぶ線上であって、点Ｐと点Ｑとの中間点よりも若干右寄り）にある点Ｏを対称の中心として、点対称な形状とされている。
【００２９】
重り取付部６４は、重り取付ベース部６の周縁部６３近傍に形成されている。詳しくは、重り取付部６４は、重り取付ベース部６の４つの角部近傍にそれぞれ形成され、２個ずつが、平面視において、重り取付ベース部６の外周形状の対称中心である点Ｏに対し点対称となる位置に配置されている。すなわち、図２に示すように、重り取付ベース部６の右前角部、左前角部、左後角部、右後角部に形成された重り取付部６４を、重り取付部６４ａ、６４ｂ、６４ｃ、６４ｄと区別したとき、重り取付部６４ａ、６４ｃは点Ｏを対称中心として対称な位置にあり、重り取付部６４ｂ、６４ｄは点Ｏを対称中心として対称な位置にある。
【００３０】
また、上述したように煙道部挿通孔６１に煙道部上部４２の下端部４２１が挿通されて、煙道部挿通孔６１の周縁において重り取付ベース部６に煙道部上部４２が接合されることにより、煙道部下部４１と煙道部上部４２とが連結され、煙道部上部４２の下端の開口部４２４を介して、煙道部下部４１と煙道部上部４２とが連通されている。燃料燃焼部挿通孔６２には燃料燃焼部３が挿通され、燃料燃焼部挿通孔６２の周縁において重り取付ベース部６と燃料燃焼部３とが接合されている。
【００３１】
連結板部７は、重り取付ベース部６と同形であり、鉄製の薄板で、外周形状がベース部２の板部２２と同形の略矩形状の板状をなし、左側部に直径約１０２ｍｍの円形状の煙道部配置孔７１が形成され、右側部に直径約１５３ｍｍの円形状の燃料燃焼部配置孔７２が形成されている。そして、連結板部７は、ベース部２と平行にかつ平面視において重なるように配置されるとともに、重り取付ベース部６から約３３０ｍｍの高さに配置されており、煙道部配置孔７１に煙道部上部４２の上端部４２２が挿通されて、煙道部配置孔７１の周縁において連結板部７と煙道部上部４２とが接合され、燃料燃焼部配置孔７２の周縁には、燃料燃焼部３の上端縁が接合されて、燃料燃焼部配置孔７２内に燃料投入口３２が開口する。なお、煙道部上部４２の上端部４２２の連結板部７からの突出高さは、約２０ｍｍである。一方、ベース部２から連結板部７までの高さは、燃料燃焼部３の高さと同一とされているため、燃料燃焼部３３の上端部は、連結板部７から突出しないが、もちろん突出するように構成してもよい。
【００３２】
重りを取り付けた例を、図４，５に示す。図４は、各重り取付部６４に、布袋や網袋に金属塊や砂利等を入れることにより構成された重りＷ１を、結びつけて吊り下げた例であり、図５は、前側の２つの重り取付部６４（図２に示す重り取付部６４ａ、６４ｂ）、後側の２つの重り取付部６４（図２に示す重り取付部６４ｃ、６４ｄ）に、それぞれ、コンクリートブロックよりなる重りＷ２を針金で連結して接地面に置いた例である。なお、風呂釜１の左右及び前後でバランスが取れるように、各重りＷ１は、略同じ重さで略同じ高さに配置されるようにしている。
【００３３】
燃料燃焼部３は、上端の開口部３２以外の部分からは水が浸入しないように構成され、煙道部４は、上端の開口部４２３以外の部分からは水が浸入しないように構成されている。すなわち、燃料燃焼部３及び煙道部４は、燃料燃焼部３の上端までの高さ（連結板部７までの高さに相当。）である約５９０ｍｍ以下の部分が、側方及び下方から水が浸入しない構造とされている。詳しくは、燃料燃焼部３及び煙道部４は、燃料燃焼部３を筒状に形成したときの接合部、燃料燃焼部３とベース部２との接合部、煙道部下部４１とベース部２との接合部、煙道部下部４１と燃料燃焼部３との接合部、煙道部下部４１と重り取付ベース部６との接合部、煙道部上部４２を筒状に形成したときの接合部、及び、煙道部上部４２と重り取付ベース部６との接合部が、それぞれ、水が漏れないような接合構造（なお、気体が漏れないような接合構造でもある。）とされることにより、燃料燃焼部３は、開口部３２以外からは水が浸入しないように構成され、煙道部４は、開口部４２３以外からは水が浸入しないように構成されている。なお、煙道部下部４１を、１枚の薄板を曲折することにより形成せず、複数枚の薄板を接合することにより形成したときは、その接合部も水が漏れないような接合構造とする。煙道部上部４２や燃料燃焼部３においても同様である。
【００３４】
風呂釜１では、上記のように全体形状が形成されてから、金属部分（すなわち、断熱材２２を除く部分）の外面に耐熱錆止め塗料が塗布されている。
【００３５】
以上のように構成された風呂釜１の使用方法について、次に説明する。
【００３６】
風呂釜１の開口部４２３に煙突５を嵌合し、その風呂釜１を、図６に示すように、浴槽Ｂの側壁に触れないように浴槽Ｂの底面上に置く。また、各重り取付部６４に、重りを取り付ける。図６では、コンクリートブロックからなる重りＷ２を取り付け、浴槽Ｂの底面上に置いている。そして、連結板部７の高さ以下となるように、浴槽Ｂに水を張る。図６の符号ＷＬは、浴槽Ｂ内の水位を示す。風呂釜１における連結板部７より下の部分は、側方及び下方から水が浸入しない構造とされているため、浴槽Ｂ内の水が風呂釜１内に浸入することはない。
【００３７】
次に、燃料投入口３２から薪等の固体燃料を少量入れ、着火し易い紙等に着火したものを燃料投入口３２から投入して、団扇あるいは送風機等で燃料導入口３２から送風する。燃料に着火して、煙突５から煙が出る状態になったら、送風を停止し自然吸気とする。そして、燃料を補給して、燃焼を継続する。燃料は燃料燃焼部３の下部で一次燃焼され、その燃焼ガスが開口部３５を通って、煙道部４に入り、煙道部４内で二次燃焼され、煙突５を通って、煙突５の上端開口部５２から排出される。なお、このような流れを発生させるためには、煙突５をある程度の高さのあるものとして、煙突５側への吸引力を生じさせることが必要であり、煙突５の高さとしては、ベース部２上面から煙突５の上端までの高さが、ベース部２上面から燃料燃焼部３の上端までの高さと同程度以上となることが望ましい。燃料燃焼部３の周壁部３３及び煙道部４の周壁部は、熱せられて温度が上昇するが、周囲に存在する水と熱交換が行われることにより、燃料燃焼部３の周壁部３３及び煙道部４の周壁部の温度上昇が抑制されるとともに、浴槽Ｂ内の水の温度が上昇する。したがって、浴槽Ｂ内の水を湯とすることができる。
【００３８】
風呂釜１の使用後に風呂釜１内に残った燃え残りの燃料は、長柄の火鋏等で取り出し、灰は火掻き棒等で掻き出す。なお、これらの作業は、風呂釜１を、温度が低下した後に、浴槽Ｂから取り出して行うとよい。
【００３９】
図７に、燃焼実験を行った結果を示す。この燃料実験では、ビニール製農業用大型バッグの内側にビニールシートを袋状にして内貼りしたものを浴槽Ｂとした。浴槽Ｂ内の水量は約７５ｌであった。風呂釜１には高さ４５０ｍｍの煙突５を連結し、薪２．３５Ｋｇを最終測温時までに燃料として消費した。外気温は約９℃で無風状態であり、浴槽Ｂ内の水温は実験開始前約１０℃であった。
【００４０】
図７に示すように、１１時１０分に燃焼を開始し、着火に続いて団扇にて送風を約１分間行った。その後、燃料を補給して燃焼を継続しつつ、浴槽Ｂ内の水の測温を行った。なお、各測温時には、測温直前に水を撹拌し温度を平均化してから測温を行った。その結果、１１時１７分には水温１１．５℃、１１時２４分には水温１７．５℃、１１時３６分には水温２３．０℃、１１時４０分には水温３１．５℃、１１時４５分には水温３６．０℃、１１時５５分には水温４１．５℃という結果が得られた。
【００４１】
このように、水量７５ｌの１０℃の水を風呂に適した湯温とするのに要した時間は４５分であり、実用的な浴槽Ｂの水量を２５０ｌとすると、単純計算では約２時間半かかることになるが、外気温９℃、水温１０℃という悪条件であったことを考慮すれば、十分に実用範囲であるといえる。
【００４２】
このように、風呂釜１によれば、浴槽Ｂの側壁に触れないように風呂釜１を浴槽Ｂ内に配置し、水位が燃料燃焼部３及び煙道部４の所定高さ（連結板７の高さ）以下となるように、浴槽Ｂ内に水を張り、燃料燃焼部３に燃料投入口３２から燃料を投入して着火し燃焼させることにより、燃料燃焼部３及び煙道部４で熱が発生して浴槽Ｂ内の水が温められることとなり、浴槽Ｂの側壁に穴を開けて風呂釜１と管で連結する必要がないため、野外で薪等を使用して風呂を沸かすのに適している。浴槽Ｂが広い場合には、複数の風呂釜１を同時使用してもよい。
【００４３】
また、浴槽Ｂ内の水位を燃料燃焼部３及び煙道部４の連結板７以下とすれば、浴槽Ｂ内の水が風呂釜１内に浸入して燃焼を妨げることはない。
【００４４】
さらに、風呂釜１は、浴槽Ｂの底面上に直接置いても、ベース部２の断熱材により、浴槽Ｂの底面の温度上昇が抑制されるので、例えば野外で穴を掘ってビニールシートを張ることにより形成した浴槽Ｂ等、高温に弱い素材で形成された浴槽Ｂにも直接置いて使用できる。
【００４５】
また、重り取付部６４に重りを吊り下げたり、重り取付部６４に取り付けた重りを浴槽の底面に置いたりすることにより、風呂釜１の重量が増加するとともに風呂釜１の重心が下方に移動するため、風呂釜１が浴槽内で浮いてしまう虞や風呂釜１が転倒する虞を低減できる。
【００４６】
さらに、風呂釜１は、外周形状が、平面視において、燃料燃焼部３の横断面における対称の中心Ｑと煙道部上部４２の横断面における対称の中心Ｐとの中間近傍にある点Ｏを対称の中心とする略点対称な形状をなす重り取付ベース部６を有して、４個の重り取付部６４が、平面視において、点Ｏを対称の中心として略点対称となる位置に設けられているため、各重り取付部６４を利用して重りを取り付けることにより、風呂釜１の重量をバランスよく増加させることができるため、風呂釜１が転倒する虞をさらに低減できる。
【００４７】
なお、風呂釜１と浴槽Ｂ内の水との接触面積を増大させて、熱交換率を高めるために、図８に示すように、煙道部４の内部を通る管８１、８２を設けることが好ましい。以下、図８に示す変形例について説明する。
【００４８】
図８に示す例では、円形管である管８１、８２が煙道部４に挿通されて、管８１、８２の両端部は、煙道部下部４１の側壁部４１２に開口して、開口部８１ａ、８１ｂ、８２ａ、８２ｂをなしている。なお、側壁部４１２は、風呂釜１が浴槽Ｂ内に配置されたときに煙道部４の浴槽Ｂ内に面する壁部であり、開口部８１ａ、８１ｂ、８２ａ、８２ｂは、煙道部４における高さ５９０ｍｍ以下の部分に形成されることとなる。開口部８１ａ、８１ｂ、８２ａ、８２ｂの周縁と、側壁部４１２との接合部は、水が漏れないような接合構造とされている。したがって、煙道部４には開口部４２３以外からは水は浸入しない構造となっている。また、管８１、８２は、軸方向が直線状をなす直管であるが、一端部が他端部よりも下方となるように傾斜されて煙道部４に挿通されている。
【００４９】
図８のように構成すれば、少なくとも開口部８１ａ、８１ｂ、８２ａ、８２ｂの下縁より上まで、浴槽Ｂに水を張ることにより、管８１、８２内を浴槽Ｂ内の水が流通して、煙道部４における浴槽Ｂ内の水との接触面積が増大するため、すなわち、煙道部４で発生した熱により熱せられた管８１、８２の周壁と水とが接触するため、熱交換の効率を向上できる。
【００５０】
なお、管８１、８２を傾斜させて配置したのは、煙道部４内を通る管８１、８２内の加熱された水による対流を促進して、熱交換率をより向上させるためであるが、この点を考慮しなければ、傾斜させて配置しなくてもよい。また、管８１、８２を曲折した管とすることにより、煙道部４内を通る管８１、８２の長さを長くすることもできる。
【００５１】
次に、他の実施形態に係る風呂釜１Ｂについて、図９、１０に基づいて説明する。なお、上記した風呂釜１の各構成要素と対応する構成要素については、同じ符号を用いて、その説明を適宜省略する。
【００５２】
風呂釜１Ｂでは、煙道部４が、全体としてＪ字形状に曲折された円管状をなし、煙道部下部４１と煙道部上部４２とは一体的に形成されている。なお、煙道部下部４１と煙道部上部４２とで、管径は変わらず、すなわち、煙道部上部４２と煙道部下部４１とで、管軸方向に直交する面で切断したときの断面積は変わらない。そして、煙道部４の下端部は、燃料燃焼部３の周壁３３の下部に形成された円形状の開口部３５に挿通されて、煙道部４の下端の円形状の開口部４３が、燃料燃焼部３の下部内に開口している。なお、煙道部４の開口部４３の周壁と、開口部３５周縁との接合部は、水が漏れないような接合構造とされ、煙道部４及び燃料燃焼部３は、煙道部４の上端の開口部４２３及び燃料投入口３２以外の部分からは内部に水が浸入しないような構造とされている。すなわち、煙道部４及び燃料燃焼部３は、連結板７以下の部分が、側方及び下方からは水が浸入しないような構造とされている。風呂釜１Ｂには、風呂釜１の重り取付ベース部６に対応する構成要素は設けられてないが、フック状の２つの重り取付部６４が、風呂釜１Ｂの上下方向における中間位置より下方であって、燃料燃焼部３の外方でありかつ煙道部４の外方となる位置に、設けられている。詳しくは、重り取付部６４は、燃料燃焼部３の周壁部３３の外面の前側と後側に、それぞれ、固着されている。
【００５３】
以上のように構成された風呂釜１Ｂを使用するときは、煙突５を煙道部４Ｂの上端の開口部４２３に連結し、風呂釜１Ｂを浴槽内に浴槽の側壁に触れないように置いて、重り取付部６４に重りを取り付ける。そして、水位が連結板７より下となるように浴槽内に水を張り、燃料燃焼部３に固体燃料を投入して燃焼させることにより、煙道部４に燃焼ガスが流れて二次燃焼され、燃料燃焼部３及び煙道部４で発生した熱で、浴槽内の水が温められる。
【００５４】
なお、風呂釜１Ｂでは、煙道部上部４２と煙道部下部４１とを、管軸方向に直交する面で切断したときの断面積が変わらないように構成したが、風呂釜１のように、煙道部下部４１の軸方向（煙道部下部４１を上下方向に延びる管と捉えれば、上下方向）に直交する面で切断したときの断面積を、煙道部上部４２の軸方向に直交する面で切断したときの断面積よりも大きくなるように構成すれば、煙道部下部４１における燃焼ガスの滞留時間が長くなり、熱交換率を向上させることができる。
【００５５】
また、風呂釜１、１Ｂでは、煙道部４及び燃料燃焼部３において、所定高さである５９０ｍｍ以下の部分、すなわち、燃料投入口３２より下の部分全部を、側方及び下方から水が浸入しない構造としたが、少なくとも煙道部下部４２と燃料燃焼部下部３４とを含む所定高さ以下の部分を、側方及び下方から水が浸入しない構造とすればよい。水位をその所定高さ以下とすれば、煙道部４及び燃料燃焼部３に水が浸入しないからであり、水位を少なくとも燃料燃焼部下部３４と煙道部下部４２とを含む高さとすれば、熱を多く発生する部分である燃料燃焼部３と煙道部４とが連通された部分で発生した熱を利用できるからである。ここで、所定高さは、約４０ｃｍ以上であることが望ましい。入浴に適した水位が確保できるからである。
【００５６】
また、燃料投入口３２を燃料燃焼部３の周壁部３３の上端より下がった部位に設けてもよい。すなわち、燃料投入口３２は、燃料燃焼部３の上端部に形成すればよい。
【００５７】
また、燃料燃焼部３の下壁部３１を、ベース部２とは別体に設けてもよく、煙道部下部４１の下壁部４１１を、ベース部２とは別体に設けてもよい。
【００５８】
また、板部２１、燃料燃焼部３の周壁部３３、煙道部下部４１の側壁部４１２、煙道部上部４２、重り取付ベース部６、及び、連結板部７は、鉄に限らず、高温に耐える金属であればよい。かかる金属としては、例えば、鋼、ステンレス鋼、アルミニウム、銅などがある。
【００５９】
また、煙道部上部４２は、軸方向を風呂釜１、１Ｂの上下方向に対して多少傾斜させてもよく、要するに、軸方向を上下方向に略沿わせて延設すればよい。
【００６０】
また、煙突５を別体とせず、煙突５を煙道部上部４２に一体的に延設する等、予め煙突を上方に延設しておくこととしてもよい。
【００６１】
また、重り取付部６４を孔状以外の形状（例えば、フック状等）としてもよいし、重り取付部６４の数も４個に限られない。例えば、重り取付部６４を、逆Ｕ字状で両端が重り取付ベース部６の中央部付近（平面視における燃料燃焼部３と煙道部上部４２との間）の上面に取り付けられた取っ手状の１個のみとして、その重り取付部６４に２つの重りＷ１を取り付け、風呂釜１の前側と後側とに吊り下げることとしてもよい。また、重り取付部６４を、重り取付部６４ａと重り取付部６４ｃのみとしたり、重り取付部６４ｂと重り取付部６４ｄのみとしたりしてもよい。このように、重り取付部６４を偶数個として、平面視において点Ｏを対称の中心として略点対称となる位置に設ければ、上述したように、各重り取付部６４を利用して重りを取り付けることにより、風呂釜１の重量をバランスよく増加させることができるため、風呂釜１が転倒する虞をさらに低減できる。
【００６２】
また、重り取付ベース部６を、風呂釜１の上下方向における略中間位置に配置することにより、重り取付部６４を風呂釜１の上下方向における略中間位置に設けることとしてもよい。風呂釜１Ｂにおける連結板７についても同様である。
【００６３】
また、ベース部２において、断熱材２２を最下層としなくてもよく、例えば最下層を金属板としてその金属板上に設ける等、断熱材２２を中間層に設けてもよい。さらに、最下層の金属板の重量を大なるものとすれば、重心を低くし、姿勢の安定を図り、風呂釜１、１Ｂが転倒する虞をさらに低減できる。
【００６４】
また、風呂釜１、１Ｂ自体の重量を、浴槽内の水による浮力に勝るものとすれば、必ずしも風呂釜１、１Ｂに重りを取り付けなくてもよいが、風呂釜１、１Ｂ自体の重量が重くなると運搬や設置が容易でなくなる虞がある。したがって、風呂釜１、１Ｂ自体の重量はあまり重いものとせず、風呂釜１、１Ｂとは別体の重りを取り付けることが望ましい。このために、風呂釜１、１Ｂには、重り取付部６４を設けることが望ましいが、重り取付部６４を設けない場合には、例えばベース板２を大きくしてベース板２の上に重りを置く等、適宜の方法で風呂釜１、１Ｂに重りを設置することが望ましい。
【００６５】
また、管８１、８２内や煙道部下部４１の側壁部４１２等、水に接触する部分に、熱交換用のフィンを設けてもよい。
【００６６】
また、燃料燃焼部３の下壁部３１上面に金属皿を設置し、燃料投入口３２から油を滴下することにより、油を燃料としたり、燃料投入口３２からガスバーナー、石油バーナーなどを挿入して燃焼させることも可能である。なお、バーナーを用いる場合には、燃料投入口３２から空気が供給されるように、燃料投入口３２を塞がないようにバーナーを設置する。
【符号の説明】
【００６７】
１、１Ｂ  風呂釜
２  ベース部
３  燃料燃焼部
４  煙道部
５  煙突
３１  下壁部
３２  燃料投入口
３４  燃料燃焼部下部
４１  煙道部下部
４１１  下壁部
４２  煙道部上部
４２３  開口部
４２４  （下端の）開口部
６  重り取付ベース部
６４  重り取付部
８１、８２  管
Ｂ  浴槽
【図１】
0003180469.tif 000003
【図２】
0003180469.tif 000004
【図３】
0003180469.tif 000005
【図４】
0003180469.tif 000006
【図５】
0003180469.tif 000007
【図６】
0003180469.tif 000008
【図７】
0003180469.tif 000009
【図８】
0003180469.tif 000010
【図９】
0003180469.tif 000011
【図１０】
0003180469.tif 000012